(57)【要約】      （修正有）【課題】歯牙の咬合面に接着性の補綴装具を応用することにより、咬み合わせの大幅な改善、動揺歯の固定等を行う。【解決手段】治療歯１及び支持用の健歯４，５に密冠固定できる形状で、頂面に咬合面を設けた治療用補綴装具を提供する。【選択図】図１
2013128555.tif 000002
【特許請求の範囲】
【請求項１】
治療歯及び支持用の健歯に密冠固定できる形状で、頂面に咬合面を設けたことを特徴とする治療用補綴装具。
【請求項２】
欠損歯の両側の健歯に密冠できる形状で、咬合面を有する冠歯に義歯を介装し、前記冠歯と義歯とを互いに連結する連結部を設けることを特徴とした請求項１記載の治療用補綴装具。
【請求項３】
冠歯は、被冠装歯へ接着剤で固定することを特徴とした請求項１又は２記載の治療用補綴装具。
【発明の詳細な説明】
【技術分野】
【０００１】
この発明は、咬み合わせの改善、歯周病の治療、動揺歯の固定、顎関節症の治療、その他の歯の治療の際に使用する補綴装具であり、歯（咬合面）に接着固定、又は歯（咬合面）に嵌装固定し、上記目的を達成する治療用補綴装具である。
【背景技術】
【０００２】
従来、多数歯にわたるインプラント治療、歯周病、顎関節症の治療において、咬み合わせの大幅な改善が必要な際また、歯牙を連結固定しなければならない際は、歯牙を大幅に切削し、歯冠形態を大幅に変更した連結のブリッジを作成し目的を達成してきたが、歯牙の削合という不可逆的な治療行為は避けられないとされてきた。しかし、切削に伴うトラブルが散在することも事実であり、切削を行わず、可逆的に上記目的を達成されることは急務であった。
【先行技術文献】
【特許文献】
【０００３】
【特許文献１】特開平９−１９２１４６号公報
【特許文献２】特開２００９−６６２８１号公報
【発明の概要】
【発明が解決しようとする課題】
【０００４】
従来、歯の治療には様々な提案があってそれぞれ採用されている。例えば、欠損部に前分体と後分体とをねじ止めする構造が知られている（特許文献１）。また、義歯床に人工歯を設けた装着式義歯の提案もある（特許文献２）。前者はねじを介在する固定であって、改善の必要があり、後者は取り外し自在の装着式義歯であって、固定方式への移行を考えなければならない。
【０００５】
そこで、咬み合わせの大幅な改善、動揺歯の固定、顎関節症の治療等が必要な大幅に咬み合わせの乱れている患者においては、歯科矯正治療や歯牙の大幅な切削、ブリッジの作成を行い咬み合わせの改善、動揺歯の固定を行ってきたが、歯牙の削合、ブリッジの作成を行うに当たっては、治療期間の延長や、歯牙の切削といった不可逆的な治療が不可避であった。また、治療後切削に伴いトラブル（歯髄炎、患者と術者のイメージの相違）が生じることもしばしばであり、可逆的な方法で上記目的を達成することが必要であった。本発明は、歯牙の咬合面に接着性の補綴装具を応用することにより、咬み合わせの大幅な改善、動揺歯の固定等を即座に行うようにして前記課題を解決したものである。
【課題を解決するための手段】
【０００６】
この発明は、歯牙に支持させるために、レジン製の冠歯（歯牙に接着させる中空歯）を用いることにより、前記従来の問題点を解決したのである。従来、歯の治療に金属冠を被冠することは普通に行われているが、金属冠はその性質上、個々別々に被冠されているために、個々の強度に依存しなければならないので個別的強度を必要とし、多くは被冠歯と金属とを固定していた。従って、残歯が病歯の場合には前記治療が困難になっていた。
【０００７】
然るにこの発明の健歯に被冠する冠歯は原則的に連結されているので、当該冠歯のみに外力がかかるおそれは少ない利点がある。また、病歯に被冠するには、その両側の健歯に被冠するために病歯にかかる外力が著しく小さくなる利点がある。また、義歯を装着する場合には、装着すべき義歯の設置される近辺の健歯にこの発明の冠歯を装着するが、前記冠歯と義歯とは一体的に連結しており、一体物と同様である。また、冠歯は健歯に装着固定してあり、接着剤で固着してあるので、両側の冠歯と中の義歯とはあたかも一体物のごとく外力に対抗し、個々に変形、稼働するおそれはない。
【０００８】
従って、常に一体物として作用し、個々に対応しないのできわめて強固であり、自然歯よりも支持力が強くなっている。なぜならば、義歯の両側の冠歯は、義歯と直接連結し、冠歯は健歯に被冠固定してあるので健歯と義歯とは一体的に連結固定していることになる。
【０００９】
一般に、自然歯は一本一本独立して外力に耐抗するようにできているが、この発明の義歯は、二本以上の健歯と一体的に連結しているから、きわめて強固な歯を構成している。
【００１０】
即ち、この発明は、治療歯及び支持用の健歯に密冠固定できる形状で、頂面に咬合面を設けたことを特徴とする治療用補綴装具である。
【００１１】
また、欠損歯の両側の健歯に密冠できる形状で、咬合面を有する冠歯に義歯を介装し、前記冠歯と義歯とを互いに連結する連結部を設けることを特徴とした治療用補綴装具である。
【００１２】
また、冠歯は、被冠装歯へ接着剤で固定することを特徴とした治療用補綴装具である。
【００１３】
この発明の治療用冠歯は、従来普通に使用している型取りと成形であるから、技術的にも従来技術を用いて十分精徴な冠歯を得ることができる。その材質は、歯科で常用しているレジンであるから、口中に固定してあっても、材質その他のために支障を生じるおそれはない。
【００１４】
また、義歯（ダミー）を設置する場合においても、義歯（ダミー）の両側の冠歯が健歯に冠着固定されているので、微動だに生じるおそれはない。
【００１５】
また、健歯に冠歯を接着固定しているので、一体化されており、冠歯の間の義歯は両側の冠歯に当接部で固着されているので一体的であり、自分歯より強固である。また、冠装した健歯の補強にもなっている。
【００１６】
この発明の冠歯は、薄い冠状であるけれども、健歯と冠歯はレジン接着剤で一体化されているので、健歯単独よりも強化されている。然して被冠固定であるから、任意に取り外し、再生することができる。
【００１７】
通常、再生に関しては、自分の歯を削らなければならないが、冠歯の場合には、冠歯を取り外し、新規の冠歯を被冠固着すればよいので、自分歯はほとんど無傷のまま再使用することができる。
【発明の効果】
【００１８】
この発明によれば、補綴装具を歯牙に接着固定するので、歯牙と一体化し、装着された歯牙を強固に連結固定できる効果、咬み合わせの大幅な改善、再構成が可能である。さらに、前記歯牙はほとんど削らないので、再治療に際してはそのまま使用できると共に、不可逆的ブリッジ治療に入る際も、患者―術者の最終形態のイメージの共有を行うことにより術後のトラブルの軽減を期待しうる効果もある。
【００１９】
この発明の補綴装具は、歯牙に接着して固定し、必要に応じて義歯（ダミー）も取り入れ可能であり、とりいれた義歯（ダミー）も一体化するので、口中でそのまま使用されても異物感なく、自然歯と同様の感覚を得ることができる効果がある。
【図面の簡単な説明】
【００２０】
【図１】（ａ）この発明の実施例の平面図、（ｂ）同じく正面図、（ｃ）同じくＡ−Ａ断面図、（ｄ）同じくＢ−Ｂ断面図。
【図２】（ａ）この発明の他の実施例の平面図、（ｂ）同じくＣ−Ｃ断面図。
【発明を実施するための形態】
【００２１】
この発明は、咬み合わせを大幅に改善したい部位、動揺歯の固定を行いたい部位の歯牙の咬合面に補綴装具を接着固定し目的を達成するものであり、必要に応じて歯牙欠損部位においても義歯（ダミー）をとりいれることも可能な補綴装具である。
【００２２】
この発明の補綴装具は連結されていると共に、歯列中に固定されているので、治療歯にかかる力は被補綴歯に分散され、一部に力が集中するおそれがない。従って、治療歯の耐久性を損するおそれがなく、咬耗時にレジンの添加をおこない、修正を行うことが可能であり、構成レジンの寿命が尽きるまで設置時の状態を保って使用することができる。
【実施例１】
【００２３】
この発明の実施例を図１（ａ）に基づいて説明する。治療すべき歯１の頂面を一定厚さに亘り削り取った後、歯１に密冠できる形状の冠歯２を成形する。この冠歯２を歯１に接着剤３で接着することにより歯１の治療は完了する。
【実施例２】
【００２４】
この発明の他の実施例を図１（ｂ）、（ｃ）に基づいて説明する。欠損歯の両側の健歯４、５の頂面を削り取った後（冠歯の肉厚だけ）、健歯４、５に密冠できる形状の冠歯６、７を成形し、この冠歯６、７を連結部で連結すると共に、当該連結部に義歯９を連結すれば、この発明の治療用冠歯１０ができる。前記は義歯９に連結部を連結した外観となる。
【実施例３】
【００２５】
この発明の他の実施例を図２に基づいて説明する。歯周病になった病歯１１の両側の健歯１２、１３を削って冠歯１４を被冠できる形状にしてから、型取りして冠歯１４を形成する。そこで、健歯１２、１３及び病歯１１に接着剤を介して冠歯１４を冠装固着する。
【符号の説明】
【００２６】
１  歯
２  冠歯
３  接着剤
４、５、１２、１３  健歯
６、７、１４  冠歯
９  義歯
１１  病歯
【図１】
2013128555.tif 000003
【図２】
2013128555.tif 000004